【手続補正書】
【提出日】平成27年7月14日(2015.7.14)
【手続補正１】
【補正対象書類名】明細書
【補正対象項目名】発明の名称
【補正方法】変更
【補正の内容】
【発明の名称】電磁調理器用汚れ防止マット
【手続補正２】
【補正対象書類名】明細書
【補正対象項目名】０００１
【補正方法】変更
【補正の内容】
【０００１】
この発明は電磁調理器用汚れ防止マットに関し、特に加熱すべき鍋の底面の汚れや吹きこぼれ等を電磁調理器のトッププレートに付着させない電磁調理器用汚れ防止マットに関するものである。
【手続補正３】
【補正対象書類名】明細書
【補正対象項目名】００１７
【補正方法】変更
【補正の内容】
【００１７】
この発明は、上記のような課題を解決するためになされたもので、耐熱性コート材が裏抜けしない電磁調理器用汚れ防止マットを提供することを目的とする。
【手続補正４】
【補正対象書類名】明細書
【補正対象項目名】００１８
【補正方法】変更
【補正の内容】
【００１８】
上記の目的を達成するために、請求項１記載の発明は、電磁調理器のトッププレートと電磁調理器によって加熱される鍋の底面との間に挟んで使用される電磁調理器用汚れ防止マットであって、磁力線の透過性を有する耐熱性のガラス繊維シートと、ガラス繊維シートの少なくとも一方面を被覆する第１の耐熱性コート材とを備え、ガラス繊維シートは、一般ガラス繊維よりなる繊維織物を水流処理にてその通気度を低下させた繊維織物より構成され、ガラス繊維シートの目付は５０ｇ／ｍ２以上、電磁調理器による加熱時に温度センサが適切に作動し得る３００ｇ／ｍ２以下であり、且つ、通気度は８．５ｃｃ／（ｃｍ２・ｓ）以下であるものである。
【手続補正５】
【補正対象書類名】明細書
【補正対象項目名】００１９
【補正方法】変更
【補正の内容】
【００１９】
このように構成すると、第１の耐熱性コート材が裏抜けしない。又、目付に対する相対的な通気度が低下する。更に、ガラス繊維シートの通気抵抗が大きくなる。
請求項２記載の発明は、電磁調理器のトッププレートと電磁調理器によって加熱される鍋の底面との間に挟んで使用される電磁調理器用汚れ防止マットであって、磁力線の透過性を有する耐熱性のガラス繊維シートと、ガラス繊維シートの少なくとも一方面を被覆する第１の耐熱性コート材とを備え、ガラス繊維シートは、一般ガラス繊維よりなる繊維織物を水流処理にてその通気度を低下させた繊維織物より構成され、ガラス繊維シートの目付は５０ｇ／ｍ２以上３００ｇ／ｍ２以下であり、且つ、通気度は８．５ｃｃ／（ｃｍ２・ｓ）以下であって、鍋とトッププレートとの間にセットし、鍋にサラダ油２００ｃｃを入れて、油温２２℃の状態から加熱したときに、温度センサが作動し、かつ加熱開始から２分経過後に強制的に加熱が停止し、油温度が２００℃を超えないものである。
このように構成すると、第１の耐熱性コート材が裏抜けしない。又、目付に対する相対的な通気度が低下する。更に、ガラス繊維シートの通気抵抗が大きくなる。
【手続補正６】
【補正対象書類名】明細書
【補正対象項目名】００２０
【補正方法】変更
【補正の内容】
【００２０】
請求項３記載の発明は、請求項１又は請求項２記載の発明の構成において、更に、ガラス繊維シートの他方面を被覆する第２の耐熱性コート材を備え、第１の耐熱性コート材及び第２の耐熱性コート材は、非透水性を有するものである。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】変更
【補正の内容】
【００２８】
以上説明したように、請求項１記載の発明は、第１の耐熱性コート材が裏抜けしないので、意匠性が向上した汚れ防止マットとなる。又、目付に対する相対的な通気度が低下するので、ガラス繊維シートの軽量化が図れ、熱効率が低下しない汚れ防止マットになる。更に、ガラス繊維シートの通気抵抗が大きくなるので、第１の耐熱性コート材が裏抜けしない。
請求項２記載の発明は、第１の耐熱性コート材が裏抜けしないので、意匠性が向上した汚れ防止マットとなる。又、目付に対する相対的な通気度が低下するので、ガラス繊維シートの軽量化が図れ、熱効率が低下しない汚れ防止マットになる。更に、ガラス繊維シートの通気抵抗が大きくなるので、第１の耐熱性コート材が裏抜けしない。
【手続補正１２】
【補正対象書類名】明細書
【補正対象項目名】００２９
【補正方法】変更
【補正の内容】
【００２９】
請求項３記載の発明は、請求項１又は請求項２記載の発明の効果に加えて、ガラス繊維シートの両面が覆われるので意匠性が向上し、又、クッション性を有すると共に水分が内部に浸入しにくいので、電磁調理器のトッププレートや鍋を傷つけず、更に、衛生的な汚れ防止マットになる。
【手続補正１３】
【補正対象書類名】明細書
【補正対象項目名】００３０
【補正方法】削除
【補正の内容】
【手続補正１４】
【補正対象書類名】明細書
【補正対象項目名】００３２
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
電磁調理器のトッププレートと前記電磁調理器によって加熱される鍋の底面との間に挟んで使用される電磁調理器用汚れ防止マットであって、
磁力線の透過性を有する耐熱性のガラス繊維シートと、
前記ガラス繊維シートの少なくとも一方面を被覆する第１の耐熱性コート材とを備え、
前記ガラス繊維シートは、一般ガラス繊維よりなる繊維織物を水流処理にてその通気度を低下させた繊維織物より構成され、
前記ガラス繊維シートの目付は５０ｇ／ｍ２以上、電磁調理器による加熱時に温度センサが適切に作動し得る３００ｇ／ｍ２以下であり、且つ、通気度は８．５ｃｃ／（ｃｍ２・ｓ）以下である、電磁調理器用汚れ防止マット。
【請求項２】
電磁調理器のトッププレートと前記電磁調理器によって加熱される鍋の底面との間に挟んで使用される電磁調理器用汚れ防止マットであって、
磁力線の透過性を有する耐熱性のガラス繊維シートと、
前記ガラス繊維シートの少なくとも一方面を被覆する第１の耐熱性コート材とを備え、
前記ガラス繊維シートは、一般ガラス繊維よりなる繊維織物を水流処理にてその通気度を低下させた繊維織物より構成され、
前記ガラス繊維シートの目付は５０ｇ／ｍ２以上３００ｇ／ｍ２以下であり、且つ、通気度は８．５ｃｃ／（ｃｍ２・ｓ）以下であって、
鍋とトッププレートとの間にセットし、鍋にサラダ油２００ｃｃを入れて、油温２２℃の状態から加熱したときに、温度センサが作動し、かつ加熱開始から２分経過後に強制的に加熱が停止し、油温度が２００℃を超えない、電磁調理器用汚れ防止マット。
【請求項３】
更に、前記ガラス繊維シートの他方面を被覆する第２の耐熱性コート材を備え、
前記第１の耐熱性コート材及び前記第２の耐熱性コート材は、非透水性を有する、請求項１又は請求項２記載の電磁調理器用汚れ防止マット。
【請求項４】
前記第１の耐熱性コート材及び前記第２の耐熱性コート材はシリコーンコート材を含む、請求項１から請求項３のいずれかに記載の電磁調理器用汚れ防止マット。